(57)【特許請求の範囲】
【請求項１】
放射線を受けて放射線画像を検出する画像検出器と、前記画像検出器を収容する可搬型の筐体とを有する放射線撮影用の電子カセッテであり、前記筐体に付され、目視により他の電子カセッテと識別可能な識別標識を有する電子カセッテと、
複数台の前記電子カセッテの中から選択され撮影に使用する１台の電子カセッテと通信するコンソールと、
選択された前記電子カセッテとの間で前記コンソールが通信するときに使用する前記電子カセッテのカセッテＩＤと前記識別標識との対応関係を表す第１対応情報を格納する第１格納手段と、
前記コンソールに設けられ、前記第１対応情報を参照して、選択された前記電子カセッテの前記カセッテＩＤに対応する前記識別標識をディスプレイに表示する制御手段とを備えており、
前記電子カセッテの筐体の外周面は、放射線入射面となる表面、背面及び４つの側面の合計６面で構成され、前記識別標識は、前記側面に設けられており、
前記制御手段は、複数台の前記電子カセッテのそれぞれを選択するための複数の選択ボタンを有する、ＧＵＩによる操作画面を前記ディスプレイに表示し、
前記各選択ボタンには、それぞれに複数台の前記電子カセッテのうちの１台の前記カセッテＩＤが割り当てられており、割り当てられた前記カセッテＩＤに対応する前記識別標識が表示されることを特徴とする放射線撮影システム。
【請求項２】
前記識別標識は、４つの前記側面に設けられていることを特徴とする請求項１に記載の放射線撮影システム。
【請求項３】
前記識別標識は、前記外周面から突出しない態様で設けられていることを特徴とする請求項１又は２に記載の放射線撮影システム。
【請求項４】
前記識別標識は、貼付又はプリントにより設けられていることを特徴とする請求項３に記載の放射線撮影システム。
【請求項５】
前記筐体には、前記識別標識が記録されたラベルが貼付される貼付領域が設けられていることを特徴とする請求項１〜４のいずれか１項に記載の放射線撮影システム。
【請求項６】
タッチパネル式の入力デバイスを構成する請求項１〜５のいずれか１項に記載の放射線撮影システム。
【請求項７】
前記識別標識は、色、文字（数字、記号を含む）、模様のうち少なくとも１つを含むことを特徴とする請求項１〜６のいずれか１項に記載の放射線撮影システム。
【請求項８】
前記識別標識は、色を含むことを特徴とする請求項７記載の放射線撮影システム。
【請求項９】
前記各選択ボタンが選択されているか否かに関わらず、前記識別標識は常時表示されており、
前記制御手段は、前記識別標識の表示形態を変化させることにより、前記各選択ボタンが選択されているか否かを表示することを特徴とする請求項１〜８のいずれか１項に記載の放射線撮影システム。
【請求項１０】
前記識別標識は色であり、
前記各選択ボタンは、前記各選択ボタンに共通の第１色と、前記カセッテＩＤ毎に異なる前記識別標識の第２色が２色表示されており、選択されると前記第１色と前記第２色の表示が反転することを特徴とする請求項９記載の放射線撮影システム。
【請求項１１】
前記電子カセッテは、撮影台に取り付けて使用される使用態様と、撮影台を使わない使用態様の複数の使用態様が可能であり、
前記選択ボタンは、１つの前記カセッテＩＤに対して、前記使用態様毎に複数個設けられていることを特徴とする請求項１〜１０のいずれか１項に記載の放射線撮影システム。
【請求項１２】
前記撮影台に取り付けて使用される使用態様には、さらに、立位撮影台に取り付けて使用される使用態様と、臥位撮影台に取り付けて使用される使用態様の２種類が含まれることを特徴とする請求項１１記載の放射線撮影システム。
【請求項１３】
前記コンソールは、前記使用態様を指定する指定情報を含む撮影オーダを受信する撮影オーダ受信手段を備えていることを特徴とする請求項１１又は１２記載の放射線撮影システム。
【請求項１４】
前記使用態様と前記選択ボタンとの対応関係を表す第２対応情報を格納する第２格納手段とを備えており、
前記制御手段は、前記撮影オーダと前記第２対応情報とに基づいて、複数の前記選択ボタンの中から１つの前記選択ボタンを特定し、特定した前記選択ボタンを選択された状態にして撮影に使用されるべき１台の前記電子カセッテを自動選択することを特徴とする請求項１３記載の放射線撮影システム。
【請求項１５】
前記第１対応情報は変更可能であることを特徴とする請求項１〜１４のいずれか１項に記載の放射線撮影システム。
【請求項１６】
前記コンソールは、前記第１格納手段にアクセスして前記第１対応情報を変更する変更操作を受け付ける変更操作受け付け手段を備えていることを特徴とする請求項１５に記載の放射線撮影システム。
【請求項１７】
前記カセッテＩＤは、前記電子カセッテに設けられたメモリに記憶されていることを特徴とする請求項１〜１６のいずれか１項に記載の放射線撮影システム。
【請求項１８】
前記第１格納手段は、前記コンソール内に設けられた内部格納手段又は前記コンソールとネットワークを通じて接続される外部格納手段であることを特徴とする請求項１〜１７のいずれか１項に記載の放射線撮影システム。
【請求項１９】
前記第１格納手段は、前記電子カセッテに設けられたメモリであることを特徴とする請求項１〜１８のいずれか１項に記載の放射線撮影システム。
【請求項２０】
前記電子カセッテは前記コンソールと無線通信を行うワイヤレスタイプであることを特徴とする請求項１〜１９のいずれか１項に記載の放射線撮影システム。
【請求項２１】
前記電子カセッテの筐体のサイズは、国際規格ＩＳＯ４０９０：２００１に準拠したサイズであることを特徴とする請求項１〜２０のいずれか１項に記載の放射線撮影システム。
【請求項２２】
複数台の放射線撮影用の電子カセッテの中から選択され撮影に使用する１台の電子カセッテと通信するコンソールにおいて、
選択された前記電子カセッテとの間で前記コンソールが通信するときに使用する前記電子カセッテのカセッテＩＤと、前記電子カセッテの筐体に付され、目視により他の電子カセッテと識別可能な識別標識との対応関係を表す第１対応情報を、格納手段から読み出す対応情報読み出し手段と、
前記第１対応情報を参照して、選択された前記電子カセッテの前記カセッテＩＤに対応する前記識別標識を、ディスプレイに表示する制御手段とを備えており、
前記電子カセッテの筐体の外周面は、放射線入射面となる表面、背面及び４つの側面の合計６面で構成され、前記識別標識は、前記側面に設けられており、
前記制御手段は、複数台の前記電子カセッテのそれぞれを選択するための複数の選択ボタンを有する、ＧＵＩによる操作画面を前記ディスプレイに表示し、
前記各選択ボタンには、それぞれに複数台の前記電子カセッテのうちの１台の前記カセッテＩＤが割り当てられており、割り当てられた前記カセッテＩＤに対応する前記識別標識が表示されることを特徴とするコンソール。
【発明の詳細な説明】
【技術分野】
【０００１】
本発明は、電子カセッテを使用して放射線撮影を行う放射線撮影システム、及びコンソールに関するものである。
【背景技術】
【０００２】
医療分野において、放射線、例えばＸ線を利用したＸ線撮影システムが知られている。Ｘ線撮影システムは、Ｘ線を発生するＸ線源を有するＸ線発生装置と、Ｘ線源が発生し被写体を透過したＸ線の照射を受けて、被写体の画像情報を表すＸ線画像を撮影するＸ線撮影装置とからなる。Ｘ線撮影装置としては、従来のＸ線フイルムやイメージングプレート（ＩＰ）の代わりに、Ｘ線画像のデータをデジタルデータとして出力することが可能なＸ線画像検出器（ＦＰＤ：Flat Panel Detector）を利用したＸ線画像検出装置が知られている（特許文献１参照）。
【０００３】
特許文献１には、Ｘ線画像検出装置として、立位撮影や臥位撮影を行うための撮影台に内蔵した据え置き型のＸ線画像検出装置と、ＦＰＤを可搬型の筐体に収容した可搬型のＸ線画像検出装置である電子カセッテが記載されている。電子カセッテは、据え置き型では撮影困難な部位（四肢など）を撮影するためにベッド上に置いた状態や被写体となる被検者自身に持たせた状態で使用される。これらのＸ線画像検出装置は操作端末であるコンソールによって制御される。
【０００４】
特許文献１に記載されているように、撮影を行う場合には、放射線技師は、Ｘ線検査の依頼元から受け取った検査オーダに基づいて、複数種類のＸ線画像検出装置の中から検査オーダの内容に応じた種類のＸ線画像検出装置をコンソールで選択する。被検者は選択されたＸ線画像検出装置に誘導され被検者の撮影部位に対してＸ線画像検出装置がポジショニングされる。コンソールは、選択されたＸ線画像検出装置に対して撮影条件などの制御情報を送信する。そして、Ｘ線が照射され撮影が行われると、選択されたＸ線画像検出装置から撮影した画像を受信し、受信した画像をディスプレイに表示する。
【０００５】
特許文献１の図４及び段落００３８に記載されているように、コンソールには、予め登録された複数種類のＸ線画像検出装置に対応する複数の選択ボタンが設けられた操作画面が表示される。操作画面の選択ボタンには、Ｘ線画像検出装置の選択がしやすいように、各Ｘ線画像検出装置の外観を模式的に示した装置アイコンが表示されている。
【先行技術文献】
【特許文献】
【０００６】
【特許文献１】特開２０１０−２６８８２２号公報
【発明の概要】
【発明が解決しようとする課題】
【０００７】
特許文献１のコンソールのように、選択ボタンに装置アイコンを表示すれば、装置アイコンと実際のＸ線画像検出装置の外観を見比べることにより、コンソールにおいて選択したＸ線画像装置と、被検者を誘導して被検者に対してポジショニングを行ったＸ線画像検出装置とが一致しているか否かを確認することができる。両者が一致していないと、被検者にＸ線を照射したにも関わらず画像を検出できないといった撮影ミスが生じるので、コンソール上で選択したＸ線画像検出装置と被検者に対してポジショニングしたＸ線画像検出装置とが一致しているか否かの確認作業のしやすさは、Ｘ線撮影システムの使いやすさや安全性を確保する上で非常に重要である。
【０００８】
しかしながら、特許文献１のような装置アイコンは、選択候補となる複数のＸ線画像検出装置が、立位用や臥位用の据え置き型のＸ線画像検出装置と電子カセッテというように、一見して明らかに異なる外観を持つ複数のＸ線画像検出装置である場合には問題は無いが、例えば複数台の電子カセッテのように一見しただけでは区別がつかない同じような外観を持つ場合には、上記確認作業において確認ミスが生じやすいという問題があった。
【０００９】
医療施設におけるＸ線画像検出装置の使用状況を調査したところ、１つの撮影室内に立位用と立位用の据え置き型の装置がそれぞれ１台ずつ設置されるケースは多いものの、立位用又は臥位用の装置が複数台設置されるというように同種の据え置き型のＸ線画像検出装置が１つの撮影室内に複数台設置されるケースは希である。これに対して、電子カセッテを１つの撮影室内で複数台使用している医療施設は多い。
【００１０】
また、最近、従来のフイルムカセッテやＩＰカセッテと同じ半切りサイズ（１４インチ×１７インチ）の筐体サイズを持つ電子カセッテも普及しはじめている。このような電子カセッテは、単体で使用する使い方に加えて、フイルムカセッテ用あるいはＩＰカセッテ用の従来の撮影台に取り付けて、立位用や臥位用の据え置き型の装置に代用させるといった使い方が可能である。
【００１１】
こうした多様な使い方が可能であるのは便利である反面、撮影台への取り付けや取り外しが繰り返されることになるため、外観が同じ複数の電子カセッテのうちどの電子カセッテが現在撮影台に取り付けられているのかがわからなくなる問題が生じ、電子カセッテの取り違えミスが生じやすくなることも予想される。また、電子カセッテの台数が増えるほど取り違えミスの危険はさらに多くなる。さらに、技師が複数人いる病院では各人が電子カセッテの取り付けや取り外しを行うことになるため特に取り違えミスが発生しやすい。そのため、上記確認作業をより簡単にそして確実に行うための方策が求められていた。特許文献１には、こうした問題やその解決策については明示も示唆もない。
【００１２】
本発明は、上記課題を鑑みてなされたもので、その目的は、コンソール上で選択した電子カセッテと被検者に対してポジショニングした電子カセッテとが一致しているか否かの確認作業を簡単にそして確実に行えるようにすることである。
【課題を解決するための手段】
【００１３】
本発明の放射線撮影システムは、放射線を受けて放射線画像を検出する画像検出器と、前記画像検出器を収容する可搬型の筐体とを有する放射線撮影用の電子カセッテであり、前記筐体に付され、目視により他の電子カセッテと識別可能な識別標識を有する電子カセッテと、複数台の前記電子カセッテの中から選択され撮影に使用する１台の電子カセッテと通信するコンソールと、選択された前記電子カセッテとの間で前記コンソールが通信するときに使用する前記電子カセッテのカセッテＩＤと前記識別標識との対応関係を表す第１対応情報を格納する第１格納手段と、前記コンソールに設けられ、前記第１対応情報を参照して、選択された前記電子カセッテの前記カセッテＩＤに対応する前記識別標識をディスプレイに表示する制御手段とを備えていることを特徴とする。
【００１４】
前記識別標識は、色、文字（数字、記号を含む）、模様のうち少なくとも１つを含むことが好ましい。さらに、前記識別標識は、色を含むことが好ましい。また、前記筐体には、前記識別標識が記録されたラベルが貼付される貼付領域が設けられていることが好ましい。
【００１５】
前記制御手段は、複数台の前記電子カセッテのそれぞれを選択するための複数の選択ボタンを有する、ＧＵＩによる操作画面を前記ディスプレイに表示し、前記各選択ボタンには、それぞれに複数台の前記電子カセッテのうちの１台の前記カセッテＩＤが割り当てられており、割り当てられた前記カセッテＩＤに対応する前記識別標識が表示されることが好ましい。
【００１６】
前記各選択ボタンが選択されているか否かに関わらず、前記識別標識は常時表示されており、前記制御手段は、前記識別標識の表示形態を変化させることにより、前記各選択ボタンが選択されているか否かを表示することが好ましい。
【００１７】
前記識別標識は色であり、前記各選択ボタンは、前記各選択ボタンに共通の第１色と、前記カセッテＩＤ毎に異なる前記識別標識の第２色が２色表示されており、操作されたときに前記第１色と前記第２色が反転表示することが好ましい。
【００１８】
前記電子カセッテは、撮影台に取り付けて使用される使用態様と、撮影台を使わない使用態様の複数の使用態様が可能であり、前記選択ボタンは、１つの前記カセッテＩＤに対して、前記使用態様毎に複数個設けられていることが好ましい。
【００１９】
前記撮影台に取り付けて使用される使用態様には、さらに、立位撮影台に取り付けて使用される使用態様と、臥位撮影台に取り付けて使用される使用態様の２種類が含まれることが好ましい。
【００２０】
前記コンソールは、前記使用態様を指定する指定情報を含む撮影オーダを受信する撮影オーダ受信手段を備えていることが好ましい。
【００２１】
前記使用態様と前記選択ボタンとの対応関係を表す第２対応情報を格納する第２格納手段とを備えており、前記制御手段は、前記撮影オーダと前記第２対応情報とに基づいて、複数の前記選択ボタンの中から１つの前記選択ボタンを特定し、特定した前記選択ボタンを選択された状態にして撮影に使用されるべき１台の前記電子カセッテを自動選択することが好ましい。
【００２２】
前記第１対応情報は変更可能であることが好ましい。この場合には、前記コンソールは、前記第１格納手段にアクセスして前記第１対応情報を変更する変更操作を受け付ける変更操作受け付け手段を備えていることが好ましい。
【００２３】
前記カセッテＩＤは、前記電子カセッテに設けられたメモリに記憶されている。
【００２４】
前記第１格納手段は、例えば、前記コンソール内に設けられた内部格納手段又は前記コンソールとネットワークを通じて接続される外部格納手段である。また、前記第１格納手段は、前記電子カセッテに設けられたメモリでもよい。
【００２５】
前記電子カセッテは前記コンソールと無線通信を行うワイヤレスタイプであることが好ましい。前記電子カセッテの筐体のサイズは、国際規格ＩＳＯ４０９０：２００１に準拠したサイズであることが好ましい。
【００２６】
本発明のコンソールは、複数台の放射線撮影用の電子カセッテの中から選択され撮影に使用する１台の電子カセッテと通信するコンソールにおいて、選択された前記電子カセッテとの間で前記コンソールが通信するときに使用する前記電子カセッテのカセッテＩＤと、前記電子カセッテの筐体に付され、目視により他の電子カセッテと識別可能な識別標識との対応関係を表す第１対応情報を、格納手段から読み出す対応情報読み出し手段と、前記第１対応情報を参照して、選択された前記電子カセッテの前記カセッテＩＤに対応する前記識別標識をディスプレイに表示する制御手段とを備えていることを特徴とする。
【００２７】
本発明の電子カセッテは、放射線を受けて放射線画像を検出する画像検出器と、前記画像検出器を収容する可搬型の筐体と、前記筐体に設けられ、目視により他の電子カセッテと識別可能な識別標識が記録されたラベルが貼付付される貼付領域と、コンソールと通信する通信手段と、前記コンソールと通信するときに使用される１つのカセッテＩＤと、前記カセッテＩＤに対して割り当てられた前記識別標識とを記憶するメモリとを備えたことを特徴とする。
【発明の効果】
【００２８】
本発明は、電子カセッテに付される識別標識と対応する識別標識をコンソールに表示するから、コンソール上で選択した電子カセッテと被検者に対してポジショニングした電子カセッテとが一致しているか否かの確認作業を簡単にそして確実に行うことができる。
【図面の簡単な説明】
【００２９】
【図１】Ｘ線撮影システムの構成を示す概略図である。
【図２】撮影台を使用しない電子カセッテの使用態様を示す説明図である。
【図３】識別標識が記録されたラベルの説明図である。
【図４】ラベルの貼付領域の説明図である。
【図５】撮影台から電子カセッテの側面が露呈されている状態を示す説明図である。
【図６】検査オーダの説明図である。
【図７】コンソールの概略構成図である。
【図８】コンソールの機能説明図である。
【図９】操作画面の説明図である。
【図１０】選択ボタンの生成方法の説明図である。
【図１１】識別標識設定画面の説明図である。
【図１２】選択ボタンで立位撮影が選択された場合の説明図である。
【図１３】電子カセッテの一方が選択された選択ボタンの状態の説明図である。
【図１４】臥位撮影台から取り外して使用される電子カセッテの説明図である。
【図１５】選択ボタンが変更される場合の説明図である。
【図１６】複数の撮影室で電子カセッテが使用される場合の説明図である。
【図１７】模様と記号の識別標識の説明図である。
【図１８】サーバに識別標識情報が格納される例の説明図である。
【図１９】電子カセッテのメモリに識別標識情報が格納される例の説明図である。
【発明を実施するための形態】
【００３０】
図１において、Ｘ線撮影システム１０は、Ｘ線発生装置１１と、Ｘ線撮影装置１２とからなる。Ｘ線発生装置１１は、Ｘ線源１３と、Ｘ線源１３を制御する線源制御装置１４と、照射スイッチ１５とで構成される。Ｘ線源１３は、Ｘ線を放射するＸ線管１３ａと、Ｘ線管１３ａが放射するＸ線の照射野を限定する照射野限定器（コリメータ）１３ｂとを有する。
【００３１】
Ｘ線管１３ａは、熱電子を放出するフィラメントからなる陰極と、陰極から放出された熱電子が衝突してＸ線を放射する陽極（ターゲット）とを有している。照射野限定器１３ｂは、例えば、Ｘ線を遮蔽する複数枚の鉛板を井桁状に配置し、Ｘ線を透過させる照射開口が中央に形成されたものであり、鉛板の位置を移動することで照射開口の大きさを変化させて、照射野を限定する。
【００３２】
線源制御装置１４は、Ｘ線源１３に対して高電圧を供給する高電圧発生器と、Ｘ線源１３が照射するＸ線のエネルギースペクトルを決める管電圧、単位時間当たりの照射量を決める管電流、およびＸ線の照射時間を制御する制御部とからなる。高電圧発生器は、トランスによって入力電圧を昇圧して高圧の管電圧を発生し、高電圧ケーブルを通じてＸ線源１３に駆動電力を供給する。管電圧、管電流、照射時間といった撮影条件は、線源制御装置１４の操作パネルを通じて放射線技師などのオペレータにより手動で設定される他、Ｘ線撮影装置１２から通信ケーブルを介して設定される。
【００３３】
照射スイッチ１５は、放射線技師によって操作され、線源制御装置１４に信号ケーブルで接続されている。照射スイッチ１５は二段階押しのスイッチであり、一段階押しでＸ線源１３のウォームアップを開始させるためのウォームアップ開始信号を発生し、二段階押しでＸ線源１３に照射を開始させるための照射開始信号を発生する。これらの信号は信号ケーブルを通じて線源制御装置１４に入力される。
【００３４】
線源制御装置１４は、照射スイッチ１５からの制御信号に基づいて、Ｘ線源１３の動作を制御する。照射スイッチ１５から照射開始信号を受けた場合、線源制御装置１４は、Ｘ線源１３への電力供給を開始するとともに、タイマを作動させてＸ線の照射時間の計測を開始する。そして、撮影条件で設定された照射時間が経過すると、Ｘ線の照射を停止させる。Ｘ線の照射時間は、撮影条件に応じて変化するが、静止画撮影の場合には、Ｘ線の最大照射時間が約５００ｍｓｅｃ〜約２ｓ程度の範囲に定められている場合が多く、照射時間はこの最大照射時間を上限として設定される。
【００３５】
Ｘ線撮影装置１２は、電子カセッテ２１、撮影制御装置２３、およびコンソール２４から構成される。電子カセッテ２１は、ＦＰＤ２６と、ＦＰＤ２６を収容する可搬型の筐体２７とからなり、Ｘ線源１３から照射されて被検者（被写体）Ｈを透過したＸ線を受けて被検者ＨのＸ線画像を検出する、可搬型のＸ線画像検出装置である。
【００３６】
電子カセッテ２１の筐体２７には、コンソール２４と通信する通信部２９と、カセッテＩＤを記憶するメモリ２８が設けられている。カセッテＩＤは、コンソール２４が複数台の電子カセッテ２１の中から通信相手の１台の電子カセッテ２１を識別するための識別情報である。カセッテＩＤは、コンソール２４との間で交換される通信データに付される。
【００３７】
電子カセッテ２１の筐体２７は、偏平な平板状の筐体を有し、平面形状が略矩形であり（図２参照）、平面サイズはフイルムカセッテやＩＰカセッテと略同様の半切りサイズである。具体的には、電子カセッテ２１の筐体２７のサイズは、国際規格ＩＳＯ４０９０：２００１に準拠したサイズである。
【００３８】
電子カセッテ２１は、被検者Ｈを立位姿勢で撮影するための立位撮影台３１や被検者Ｈを臥位姿勢で撮影するための臥位撮影台３２に取り付けて使用することが可能である。立位撮影台３１や臥位撮影台３２は、電子カセッテ２１を着脱自在に取り付け可能である。立位撮影台３１や臥位撮影台３２は、例えばフイルムカセッテやＩＰカセッテを取り付けることが可能な従来の撮影台であり、電子カセッテ２１専用の撮影台ではない。電子カセッテ２１は、フイルムカセッテやＩＰカセッテと同じサイズであるので、こうした立位撮影台３１や臥位撮影台３２に取り付けることで、ＦＰＤが取り外し不能に内蔵された据え置き型のＸ線画像検出装置の代用として使用することが可能である。
【００３９】
電子カセッテ２１は、このように撮影台３１、３２に取り付けて使用される他、図２に示すように、被検者Ｈの手や足など、撮影台３１、３２に取り付けた状態では撮影困難な撮影部位の場合には、撮影台３１、３２から取り外されて単体で使用される。このように電子カセッテ２１は、撮影台３１、３２に取り付けて使用される使用態様と、撮影台３１、３２から取り外して使用される使用態様が可能であり、使い勝手がよい。
【００４０】
電子カセッテ２１の使われ方としては、１つの撮影室に複数台、例えば２台の電子カセッテ２１を配備し、立位撮影台３１と臥位撮影台３２にそれぞれ取り付けておき、必要に応じて各撮影台３１、３２から取り外して使用するといった使われ方が多い。
【００４１】
電子カセッテ２１は、フイルムカセッテやＩＰカセッテと異なり、撮影に使用する場合にはコンソール２４との間で通信が必要であるため、被検者Ｈに対してポジショニングした電子カセッテ２１と、コンソール２４において選択されコンソール２４が通信相手と認識している電子カセッテ２１とが一致しているかどうかの確認作業が必要である。
【００４２】
筐体２７の外観形状が完全に同一の同じ型番の複数台の電子カセッテ２１は、筐体２７の外観形状だけでは区別が付かない。また、型番が異なる複数台の電子カセッテ２１であっても、フイルムカセッテやＩＰカセッテと同様のサイズの複数台の電子カセッテ２１の場合には、筐体２７の外観形状は酷似しているため区別が付きにくい。
【００４３】
そこで、複数台の電子カセッテ２１を目視によって識別できるように、電子カセッテ２１の筐体２７には、識別標識が記録されたラベル３３が貼付される。ラベル３３は、シート状の支持体の表面に識別標識の記録面、裏面に粘着面が形成されたシール状のラベルである。
【００４４】
図３に示すように、識別標識は、例えば、色と、各医療施設における個々の電子カセッテ２１の呼称であるカセッテ名である。ラベル３３の記録面は、ほぼ半分の領域が色付けされる領域、残りの領域がカセッテ名を記録する領域になっている。
【００４５】
１台の電子カセッテ２１には、ハッチングで示す領域がピンク色（ｐｉｎｋ）に色づけされ、「Ａ」というカセッテ名が記録されラベル３３Ａが使用され、もう１台の電子カセッテ２１には、青色（ｂｌｕｅ）に色づけされ、「Ｂ」というカセッテ名が付されたラベル３３Ｂが使用される。
【００４６】
なお、ラベル３３の符号に付したＡ、Ｂは、説明の便宜上付したもので、以下、色が異なるラベル３３を区別する場合には、符号３３Ａ、３３Ｂを使用する。また、各ラベル３３Ａ、３３Ｂにおいて、ハッチングで示す領域内にはそれぞれ「ｐｉｎｋ」、「ｂｌｕｅ」という文字列が記載されているが、モノクロの図面から色の違いが明確になるように便宜上付したものであり、実際のラベルには記録されない。
【００４７】
このようなラベル３３を筐体２７に付すことで、筐体２７の外観では見分けが付かない複数台の電子カセッテ２１を識別することが可能になる。識別標識は、プリントされていてもよいし、手書きで記録されてもよい。
【００４８】
図４に示すように、筐体２７には、ラベル３３を貼付する貼付領域３４が設けられている。貼付領域３４は、筐体２７の外周面に、ラベル３３の大きさに合わせて形成された凹部である。図２に示すように、貼付領域３４は、例えば筐体２７の表面（Ｘ線入射面）、背面、４つの側面の合計６面に形成される。このように貼付領域３４を筐体２７に形成しておくことで、複数台の電子カセッテ２１間でラベル３３の貼付位置を統一することができる。貼付位置が統一されていれば、貼付位置がばらついている場合と比べて、ラベル３３を見つけやすい。
【００４９】
また、貼付領域３４を筐体２７の表面や背面に加えて、側面に設けたことで、以下のようなメリットがある。電子カセッテ２１は、非使用時には側面を背にした状態でラックに収容されて保管される場合もある。そのような場合には、筐体２７の側面の貼付領域３４にラベル３３を貼り付けておけば、ラック収容時にも所望の電子カセッテ２１を探しやすい。
【００５０】
また、図５に示すように、立位撮影台３１や臥位撮影台３２において、電子カセッテ２１が取り付けられる取り付け部３１ａ、３２ａは、電子カセッテ２１を側面から挿入可能なスロット３１ｂ、３２ｂを有するスロットタイプである場合が多い。こうした立位撮影台３１や臥位撮影台３２では、取り付け部３１ａ、３２ａに電子カセッテ２１を取り付けた状態では、電子カセッテ２１の筐体２７の１つの側面が各スロット３１ｂ、３２ｂから外部に露呈する。このため、側面に形成された貼付領域３４にラベル３３を貼り付けておけば、電子カセッテ２１を各撮影台３１、３２に取り付けた状態でもラベル３３Ａ、３３Ｂを確認することができ、各電子カセッテ２１を見分けることができる。
【００５１】
図１に戻って、電子カセッテ２１はワイヤレスタイプであり、通信部２９は、通信ケーブルを使用した有線通信部の他に、電波や光（赤外線など）によって通信する無線通信部を備えている。また、電源ケーブルを使用した商用電源による駆動の他に、バッテリ駆動が可能である。このようなワイヤレスタイプの電子カセッテ２１は、ケーブルの取り回しが不要になるため、取り扱い性がよい。
【００５２】
撮影制御装置２３は、有線方式や無線方式により電子カセッテ２１と通信可能に接続されており、コンソール２４からの指令に基づいて電子カセッテ２１を制御する。具体的には、電子カセッテ２１に対して撮影条件を送信して、ＦＰＤ２６の信号処理の処理条件（蓄積される信号電荷に応じた電圧を増幅するアンプのゲインなど）を設定させるとともに、Ｘ線源１３の照射タイミングとＦＰＤ２６の蓄積動作を同期させるための同期信号をＸ線発生装置１１から受信して、これを電子カセッテ２１に送信することにより、Ｘ線源１３とＦＰＤ２６の同期制御を行う。
【００５３】
また、撮影制御装置２３は、電子カセッテ２１が出力する画像データを受信して、コンソール２４に送信する。また、電子カセッテ２１の電源のオンオフ、省電力モードや撮影準備状態へのモード切り替えなどの制御も、コンソール２４からの指令に基づいて撮影制御装置２３が行う。
【００５４】
コンソール２４は、撮影制御装置２３を通じて電子カセッテ２１と通信を行い、撮影制御装置２３を通じて電子カセッテ２１を制御する操作端末である。また、コンソール２４は、Ｘ線検査の依頼元である診療科（内科、外科など）の医師から発行される検査オーダの入力を受け付ける検査オーダ受付機能を備えている。
【００５５】
図６に示すように、検査オーダは、患者単位で作成される。１件の検査オーダには、依頼元情報（医師ＩＤ、診療科名など）、患者情報（患者名、患者ＩＤなど）、撮影オーダが含まれる。１件の検査オーダに対して、撮影オーダが１件だけの場合もあれば、複数件の撮影オーダが含まれる場合もある。１件の撮影オーダには、撮影部位、撮影方向、撮影体位などの術式を指定する術式指定情報が含まれている。撮影部位としては、頭部、胸部、腹部などが指定される。撮影方向としては、正面、側面、斜位などが指定される。正面撮影の場合には、Ｘ線を被検者の背面から照射するＰＡ（後前）方向か、正面から照射するＡＰ（前後）方向かといった前後方向、斜位撮影の場合には、右方向か左方向かといった左右方向が指定される。
【００５６】
図６において、患者ＩＤが「００１」の検査オーダには、術式として、胸部立位正面撮影（Ｐ−Ａ）が指定された撮影オーダ１、腹部立位正面撮影（Ｐ−Ａ）が指定された撮影オーダ２、腹部臥位正面撮影（Ａ−Ｐ）が指定された撮影オーダ３の３件の撮影オーダが含まれている。
【００５７】
検査オーダは、ＨＩＳ（病院情報システム）やＲＩＳ（放射線情報システム）といった患者情報やＸ線検査に係る検査情報を管理する外部システムから発行され、ＬＡＮなどの通信ネットワークを介してコンソール２４に入力される。あるいは、検査オーダの内容が用紙に記録された検査依頼票に基づいて、放射線技師などのオペレータによって手動でコンソール２４に入力される場合もある。撮影を行う際には、放射線技師は、検査オーダに含まれる撮影オーダの内容に基づいてコンソール２４において撮影条件を入力し、入力された撮影条件が撮影制御装置２３を通じて電子カセッテ２１に設定される。
【００５８】
電子カセッテ２１で撮影されたＸ線画像のデータは、撮影制御装置２３を介してコンソール２４に送信される。コンソール２４は、受信したＸ線画像のデータに対して画像処理を施す。処理済みのＸ線画像は、コンソール２４のディスプレイに表示される他、Ｘ線画像のデータは、コンソール２４内のハードディスク、コンソール２４とネットワークで接続された画像蓄積サーバといったデータストレージデバイスに格納される。
【００５９】
図７に示すように、コンソール２４は、パーソナルコンピュータやワークステーションといったコンピュータをベースに、オペレーティングシステムなどの制御プログラムや、コンピュータをコンソール２４として機能させるためのアプリケーションプログラム（ＡＰ）５０をインストールして構成される。
【００６０】
コンソール２４は、ＣＰＵ４１、メモリ４２、ストレージデバイス４３、通信Ｉ／Ｆ４４、ディスプレイ４８、及び入力デバイス４９を備えている。これらはデータバス４７を介して接続されている。入力デバイス４９は、キーボードやマウスなどである。また、ディスプレイ４８と一体となったタッチパネル式の入力デバイスでもよい。
【００６１】
ストレージデバイス４３は、例えば、ハードディスクドライブであり、コンソール２４の本体に内蔵された内部ストレージ（内部格納手段）である。ストレージデバイス４３は、制御プログラムや、コンソール用ソフトウエアなどのアプリケーションプログラム（ＡＰ）５０が格納される。
【００６２】
メモリ４２は、ＣＰＵ４１が処理を実行するためのワークメモリである。ＣＰＵ４１は、ストレージデバイス４３に格納された制御プログラムをメモリ４２へロードして、プログラムに従った処理を実行することにより、コンピュータの各部を統括的に制御する。通信Ｉ／Ｆ４４は、ＬＡＮなどのネットワーク５１との間の伝送制御を行うネットワークインタフェースを有している。コンソール２４は、ネットワーク５１を通じて、画像蓄積サーバやＲＩＳやＨＩＳなどのサーバ５２と通信する。また、通信Ｉ／Ｆ４４は、撮影制御装置２３を介して電子カセッテ２１の通信部２９と通信するためのインタフェースを備えている。
【００６３】
コンソール用ソフトウエアは、検査オーダや電子カセッテ２１から送信されるＸ線画像をディスプレイ４８に表示したり、Ｘ線画像に対して画像処理を施したり、撮影オーダに応じて撮影条件を設定するなどの機能をコンピュータに実行させるためのプログラムである。
【００６４】
図８に示すように、コンソール用ソフトウエアが起動すると、ＣＰＵ４１は、メモリ４２と協働して、ＧＵＩ制御部４１ａ、カセッテ制御部４１ｂ、画像処理部４１ｃ、ネットワーク通信部４１ｄとして機能する。ＧＵＩ制御部４１ａは、ディスプレイ４８への出力情報と入力デバイス４９から入力される入力情報を制御する入出力制御部であり、ディスプレイ４８に、電子カセッテ２１で撮影されたＸ線画像やＧＵＩ（Graphical User Interface）による操作画面を出力するとともに、操作画面との協働により入力デバイス４９から入力される操作指示を受け付ける。
【００６５】
ストレージデバイス４３には、操作画面情報５６が格納されており、ＧＵＩ制御部４１ａは、ストレージデバイス４３にアクセスして操作画面情報５６を読み出して、操作画面を生成する。操作画面情報５６には、後述するボタン登録情報７８や識別標識情報７９が含まれる（図１０参照）。
【００６６】
カセッテ制御部４１ｂは、通信Ｉ／Ｆ４４及び撮影制御装置２３を介して電子カセッテ２１と通信することにより、電子カセッテ２１の制御を担う制御部である。カセッテ制御部４１ｂは、電子カセッテ２１の電源のオンオフの指令、省電力モード及び撮影準備状態へのモード切り替えの指令、撮影条件などＧＵＩ制御部４１ａが受け付けた各種制御情報を、電子カセッテ２１に送信する。
【００６７】
コンソール２４には、コンソール２４が制御可能な複数台の電子カセッテ２１が予め登録されており、その登録情報がカセッテ登録情報５７としてストレージデバイス４３に格納される。カセッテ登録情報５７には、カセッテＩＤ、カセッテの撮像領域のサイズ、通信方式（無線、有線など）といった電子カセッテ２１の仕様に関する情報が含まれる。本例では、カセッテＩＤが「ＤＲ００１」と「ＤＲ００２」の２台の電子カセッテ２１が登録されている。
【００６８】
カセッテ制御部４１ｂは、ＧＵＩ制御部４１ａを通じて入力される、撮影に使用する電子カセッテ２１の選択情報に基づいて１台の電子カセッテ２１のカセッテＩＤを特定し、特定した電子カセッテ２１との間で通信を行う。
【００６９】
また、カセッテ制御部４１ｂは、電子カセッテ２１からのＸ線画像のデータを受信し、画像処理部４１ｃに引き渡す。画像処理部４１ｃは、Ｘ線画像に対して、シャープネス補正、周波数処理などの各種の画像処理を施す。
【００７０】
ネットワーク通信部４１ｄは、通信Ｉ／Ｆ４４及びネットワーク５１を介してサーバ５２と通信し、ＲＩＳやＨＩＳからの検査オーダの受信や画像蓄積サーバへの画像の送信を行う。ストレージデバイス４３には、検査オーダ格納領域５８が設けられており、ネットワーク通信部４１ｄは、受信した検査オーダを検査オーダ格納領域５８に格納する。
【００７１】
検査オーダ格納領域５８には、検査オーダが格納されるとともに、検査オーダ毎の履歴情報が格納される。履歴情報は、撮影に使用された電子カセッテ２１のカセッテＩＤ、電子カセッテ２１に設定された撮影条件、電子カセッテ２１の使用態様、撮影したＸ線画像のファイル名などであり、これらの履歴情報は検査オーダに含まれる各撮影オーダに関連付けて記録される。履歴情報は、ＧＵＩ制御部４１ａやカセッテ制御部４１ｂによって記録される。
【００７２】
図９に示す検査オーダ表示画面６１は、ＧＵＩ制御部４１ａによって生成される操作画面である。検査オーダ表示画面６１は、受信済みの検査オーダの中から選択された１件の検査オーダの内容を表示する画面である。
【００７３】
検査オーダ表示画面６１には、検査オーダのＩＤ、患者名、患者ＩＤ、性別、年齢といった患者情報を表示する患者情報表示領域６２と、１件の検査オーダに含まれる撮影オーダを表示する撮影オーダ表示領域６３と、撮影したＸ線画像を表示する画像表示領域６４が設けられている。撮影オーダ表示領域６３の下方には、予め登録された複数台の電子カセッテの中から撮影に使用する１台の電子カセッテを選択するカセッテ選択領域６６が設けられている。符号６７は、各種設定を行うための設定ボタンである。
【００７４】
撮影オーダ表示領域６３には、複数件の撮影オーダがある場合には、複数件の撮影オーダがリスト形式で一覧表示される。本例では、図６で示した撮影オーダ１〜３の３件の撮影オーダが含まれている例を示している。撮影オーダ表示領域６３内において、各撮影オーダの表示欄６３ａには、「胸部立位正面（Ｐ−Ａ）」のように、各撮影オーダ１〜３の術式指定情報が表示される。
【００７５】
表示欄６３ａの１つが、入力デバイス４９のマウスのポインタ４９ａでクリック操作されると、その表示欄６３ａに対応する１件の撮影オーダが指定される。指定された撮影オーダの表示欄６３ａはハイライト表示され、指定されていない他の撮影オーダと識別可能に表示される。本例では、撮影オーダ２が指定された状態を示している。
【００７６】
処理済み（撮影済み）の撮影オーダの表示欄６３ａには、左端に、撮影した画像の縮小画像であるサムネイル画像が表示されるサムネイル表示領域が設けられている。未処理の撮影オーダの表示欄６３ａでは、サムネイル表示領域には、立位撮影や臥位撮影など術式を表す模式図が表示される。本例においては、撮影オーダ１が処理済みで、その表示欄６３ａにはサムネイル画像が表示され、撮影オーダ２、３は未処理で、模式図が表示されている状態を示している。
【００７７】
画像表示領域６４には、撮影済みのＸ線画像のうち最新の画像が表示される。本例では、撮影オーダ１に対応するＸ線画像が表示されている。もちろん、撮影済みの複数のＸ線画像の中から選択された画像を画像表示領域６４に表示することも可能である。
【００７８】
カセッテ選択領域６６には、複数の選択ボタン７１〜７５が設けられている。選択ボタン７１〜７４が電子カセッテ２１用の選択ボタンであり、選択ボタン７５は、ＩＰカセッテ（ＣＲカセッテとも呼ばれる）用の選択ボタンである。
【００７９】
電子カセッテ２１で撮影を行う場合には、１件の撮影オーダ毎にその内容に応じて、複数の選択ボタン７１〜７４の中から１つの選択ボタンがポインタ４９ａのクリック操作により選択操作されて、撮影に使用する１台の電子カセッテ２１が選択される。選択ボタン７１〜７４にはそれぞれ１つのカセッテＩＤが割り当てられている。
【００８０】
選択ボタン７１〜７４による電子カセッテ２１の選択情報は、ＧＵＩ制御部４１ａを介してカセッテ制御部４１ｂに入力される。カセッテ制御部４１ｂは、選択情報に基づいて、複数台の電子カセッテ２１のうち、撮影に使用する１台の電子カセッテ２１のカセッテＩＤを特定し、特定したカセッテＩＤの電子カセッテ２１と通信する。また、ＧＵＩ制御部４１ａは、検査オーダ格納領域５８にアクセスして、電子カセッテ２１の選択情報を、指定された撮影オーダと関連付けて履歴情報として記録する。
【００８１】
電子カセッテ２１を用いずにＩＰカセッテで撮影する場合には選択ボタン７５が選択される。ＩＰカセッテは、電子カセッテ２１と異なり、コンソール２４と通信できないので、ＩＰカセッテの選択情報はカセッテ制御部４１ｂには入力されず、ＧＵＩ制御部４１ａは、ＩＰカセッテの選択情報を撮影オーダと関連付けて履歴情報として記録するのみである。
【００８２】
また、電子カセッテ２１用の選択ボタン７１〜７４は、同じカセッテＩＤの電子カセッテ２１であっても、使用態様が異なる場合には使用態様を区別して選択できるように、１台の電子カセッテ２１に対して使用態様毎に複数個設けられている。図８で示したとおり、本例では、カセッテＩＤが「ＤＲ００１」と「ＤＲ００２」の２台の電子カセッテ２１が登録されている。
【００８３】
ここで、カセッテＩＤが「ＤＲ００１」の電子カセッテ２１にはカセッテ名「Ａ」が与えられており、図３で示したラベル３３Ａが貼付されているものとし、カセッテＩＤが「ＤＲ００２」の電子カセッテ２１には、カセッテ名「Ｂ」が与えられており、図３で示したラベル３３Ｂが貼付されているものとする。以下、２台の電子カセッテ２１を区別する場合には、電子カセッテ２１の符号２１に、それぞれカセッテ名のＡ、Ｂを付して電子カセッテ２１Ａ、２１Ｂと呼び、両者の区別が不要な場合には単に電子カセッテ２１と呼ぶ。
【００８４】
選択ボタン７１と選択ボタン７３には、同じ「ＤＲ００１」のカセッテＩＤが割り当てられている。選択ボタン７１は、電子カセッテ２１Ａを立位撮影台３１に取り付けて使用する場合に選択され、選択ボタン７３は、電子カセッテ２１Ａを撮影台から取り外して撮影台を使わずに単体で使用する場合に選択される。以下、撮影台を使わずに単体で使用する使用態様をフリー撮影という。
【００８５】
選択ボタン７１が選択された場合には、ＧＵＩ制御部４１ａは、選択情報をカセッテ制御部４１ｂに入力するとともに、使用態様が立位撮影である旨の情報を、検査オーダ格納領域５８に、撮影オーダと関連付けて履歴情報として記録する。選択ボタン７３が選択された場合には、使用態様がフリー撮影である旨の情報を履歴情報として記録する。
【００８６】
同様に、選択ボタン７２と選択ボタン７４も、同じ「ＤＲ００２」のカセッテＩＤが割り当てられており、選択ボタン７２は、電子カセッテ２１Ｂを臥位撮影台３２に取り付けて使用する場合に選択され、電子カセッテ２１Ｂをフリー撮影で使用する場合に選択される。選択ボタン７２が選択された場合には、電子カセッテ２１Ｂの使用態様が臥位撮影である旨の情報が履歴情報として記録され、選択ボタン７４が選択された場合には、使用態様がフリー撮影である旨の情報が記録される。
【００８７】
撮影において、どの電子カセッテ２１をどのような使用態様で使用したかという情報は、検査記録として重要であるので、使用態様毎に選択ボタンを設けることで、使用態様の記録忘れを防止することができる。
【００８８】
上述したように、電子カセッテ２１の使われ方としては、１つの撮影室に２台の電子カセッテ２１を配備し、立位撮影台３１と臥位撮影台３２にそれぞれ取り付けておき、必要に応じて各撮影台３１、３２から取り外してフリー撮影で使用するといった使われ方がされる。そして、電子カセッテ２１Ａ、２１Ｂの取り違いを防止する対策として、立位撮影台３１には電子カセッテ２１Ａを、臥位撮影台３２には電子カセッテ２１Ｂをそれぞれ取り付けるというように、各撮影台３１、３２と電子カセッテ２１Ａ、２１Ｂの対応関係を固定化した運用を行っている医療施設が多い。
【００８９】
こうした使われ方を考慮して、電子カセッテ２１Ａを選択する選択ボタンとして、立位撮影用とフリー撮影用の２つの選択ボタン７１、７３が設けられ、電子カセッテ２１Ｂを選択する選択ボタンとして、臥位撮影用とフリー撮影用の２つの選択ボタン７２、７４が設けられている。
【００９０】
選択ボタン７１〜７４には、それぞれの使用態様を模式的に表す模式図が表示される。立位撮影用の選択ボタン７１には、立位撮影台とＸ線源の模式図が、臥位撮影用の選択ボタン７２には、臥位撮影台とＸ線源の模式図が、フリー撮影用の選択ボタン７３、７４には、撮影台が描かれず、カセッテとＸ線源のみの模式図が表示される。選択ボタン７３、７４には、ＩＰカセッテ（ＣＲカセッテ）用の選択ボタン７５と区別できるように、電子カセッテ２１であることを表す「ＤＲ」の文字情報が表示される。
【００９１】
また、選択ボタン７１〜７４内の模式図に加えて、選択ボタン７１〜７４の上方には、「立位」、「臥位」、「フリー」というように、各選択ボタン７１〜７４によって選択される使用態様を示す文字情報が表示されている。なお、これらの文字情報を各選択ボタン７１〜７４内に表示してもよい。
【００９２】
こうした模式図や文字情報により、選択ボタン７１〜７４によって選択される使用態様が確認できるようになっている。放射線技師は、撮影オーダ表示領域６３において指定した１件の撮影オーダの術式に応じて、各選択ボタン７１〜７４のいずれかを選択する。
【００９３】
また、コンソール２４は、指定された撮影オーダの内容に基づいて選択ボタン７１〜７４を自動選択する機能を有している。ＧＵＩ制御部４１ａは、撮影オーダ表示領域６３内の複数の撮影オーダ１〜３の指定状態を監視する。１件の撮影オーダが指定された場合には、その撮影オーダ内の術式指定情報を参照して、立位撮影か、臥位撮影か、それ以外（フリー撮影）かといった指定された術式を判定する。そして、指定された術式に対応する選択ボタンを選択状態にして撮影に使用されるべき１台の電子カセッテ２１を自動選択する。
【００９４】
例えば、撮影オーダ表示領域６３において、ポインタ４９ａにより撮影オーダ２が指定された場合には、撮影オーダ２の術式指定情報を参照し、立位撮影と判定して、立位撮影用の選択ボタン７１を自動的に選択状態にする。このように撮影オーダの内容に応じて撮影に使用する１台の電子カセッテ２１とその使用態様が自動選択されるので、撮影オーダの確認ミスが防止され、撮影オーダに応じた使用態様と使用態様に対応する電子カセッテ２１とを確実に選択することができる。
【００９５】
さらに、選択ボタン７１〜７４には、コンソール２４で選択した電子カセッテ２１と被検者Ｈを誘導して被検者Ｈの撮影部位にポジショニングした電子カセッテ２１が一致しているか否かを確認する確認作業を、簡単確実に行うことができる工夫がなされている。選択ボタン７１〜７４には、それぞれに割り当てられた電子カセッテ２１に付されたラベル３３に記録された識別標識と同じ識別標識が表示される。
【００９６】
選択ボタン７１、７３には、電子カセッテ２１Ａが割り当てられているので、そのラベル３３Ａに記録された識別標識と同じ識別標識が表示される。ラベル３３Ａには、識別標識としてピンク色（ｐｉｎｋ）が色づけされ、カセッテ名「Ａ」が記録されている（図３参照）。ラベル３３Ａの識別標識と対応するように、選択ボタン７１、７３は、ピンク色で表示されるとともに、カセッテ名「Ａ」の文字情報が表示される。
【００９７】
同様に、選択ボタン７２、７４には、電子カセッテ２１Ｂが割り当てられているので、そのラベル３３Ｂに記録された識別標識と同じ識別標識が表示される。ラベル３３Ｂには、識別標識として青色（ｂｌｕｅ）が色づけされ、カセッテ名「Ｂ」が記録されている（図３参照）。ラベル３３Ｂの識別標識と対応するように、選択ボタン７２、７４は、青色で表示されるとともに、カセッテ名「Ｂ」の文字情報が表示される。
【００９８】
選択ボタン７１〜７４にラベル３３と同じ識別標識を表示することで、選択ボタン７１〜７４の識別標識と電子カセッテ２１に付されたラベル３３に記録された識別標識を見比べることにより、コンソール２４で選択した電子カセッテ２１と、被検者Ｈを誘導して被検者Ｈの撮影部位にポジショニングした電子カセッテ２１が一致しているか否かを確認する確認作業を、簡単確実に行うことができる。
【００９９】
各選択ボタン７１〜７４は、各選択ボタン７１〜７４に共通の基本色（第１色）と、識別標識に対応する色（第２色）の２色表示になっている。基本色は例えば黒色であり、選択ボタン７１、７３は黒色とピンク色の２色で、選択ボタン７２、７４は黒色と青色の２色で表示される。各選択ボタン７１〜７４において、ハッチングで示す領域が識別標識の色に対応する領域である。ハッチングで示す領域内の「ｐｉｎｋ」、「ｂｌｕｅ」という文字列は、図３におけるラベル３３Ａ、３３Ｂと同様に、モノクロの図面から色の違いが明確になるように便宜上付したものであり、実際の選択ボタンには表示されない。
【０１００】
選択ボタン７１を例に説明すると、上下方向に２分割された２つの領域７１ａ、７１ｂのうち、上部領域７１ａは選択されていない状態において識別標識の色が表示される領域であり、下部領域７１ｂは選択された状態において識別標識の色が表示される領域である。一方の領域に識別標識の色が表示されている場合には他方の領域が基本色となり、選択されているか否かに応じて各領域の色が反転する。
【０１０１】
図９においては、選択ボタン７１は選択された状態で示されており、下部領域７１ｂに識別標識の色であるピンク色が表示され、上部領域７１ａは基本色となる黒色で表示される。選択ボタン７２〜７４は、選択されていない状態で示されており、選択された状態の選択ボタン７１と比較すると、各領域の表示が反転している。
【０１０２】
このように、各選択ボタン７１〜７４の識別標識（色とカセッテ名）は、それらが選択されているか否かに関わらず、常時表示され、選択されているか否かは識別標識の色を２分割された領域で反転させることにより表示される。識別標識が常時表示されていれば、各選択ボタン７１〜７４の選択操作をする前に、被検者Ｈに対してポジショニングした電子カセッテ２１の識別標識をラベル３３で確認し、それと一致する識別標識が表示された選択ボタンを選択操作するといったことも可能となる。例えば選択ボタンを選択しないと識別標識が表示されないというように常時表示されない場合と比べると便利である。
【０１０３】
図１０に示すように、ストレージデバイス４３に格納された操作画面情報５６には、ボタン登録情報７８が含まれている。ボタン登録情報７８は、上述した各選択ボタン７１〜７５（選択ボタン１〜５に対応）への割り当て情報を定義した情報であり、設定により予め登録される。ボタン登録情報７８は、電子カセッテ２１用の選択ボタン７１〜７４の割り当て情報としてカセッテＩＤと使用態様が定義されている。ボタン登録情報７８は、選択ボタン７１〜７４と使用態様との対応関係を表す情報（第２対応情報）である。
【０１０４】
ＩＰカセッテ用の選択ボタン７５（選択ボタン５）に対しては、ＩＰカセッテ用のボタンであることを定義する情報（「ＣＲ」）のみが規定され、カセッテＩＤや使用態様は規定されない。ＧＵＩ制御部４１ａは、指定された撮影オーダの術式指定情報と、ボタン登録情報７８を参照することにより、上述した撮影オーダに応じた選択ボタンの自動選択を行う。
【０１０５】
また、操作画面情報５６には、識別標識情報７９が含まれている。識別標識情報７９は、電子カセッテ２１のカセッテＩＤと識別標識との対応関係を表す情報（第１対応情報）である。識別標識情報７９には、色（識別標識１）とカセッテ名（識別標識２）の２種類の識別標識が定義されている。
【０１０６】
ＧＵＩ制御部４１ａは、検査オーダ表示画面６１の基本フォームを規定する画面データを読み出し、基本フォームの各選択ボタン７１〜７４に対して、ボタン登録情報７８を参照してカセッテＩＤと使用態様の割り当てを行う。そして、カセッテＩＤに対応する識別標識を識別標識情報７９から読み出して、各選択ボタン７１〜７４に表示する。
【０１０７】
図１１に示す識別標識設定画面８１は、識別標識情報７９の設定を変更する画面である。識別標識設定画面８１には、カセッテＩＤ毎に、色（識別標識１）とカセッテ名（識別標識２）の２種類の識別標識のそれぞれを変更するための設定ボックス８２、８３が設けられている。設定ボックス８２、８３は、ポインタ４９ａにより端部の矢印がクリック操作されると、下方にプルダウンメニュー８２ａ、８３ａが表示される。プルダウンメニュー８２ａには、設定可能な色の選択候補が表示される。色の設定を無しにすることも可能である。プルダウンメニュー８３ａには、設定可能なカセッテ名の選択候補が表示される。カセッテ名の設定を無しにすることや、任意の文字列を入力することも可能である。
【０１０８】
ＧＵＩ制御部４１ａは、識別標識設定画面８１を通じて識別標識の変更操作を受け付けて、ストレージデバイス４３内の識別標識情報７９を変更する。このような識別標識情報７９をマニュアルで変更可能にすることで、医療施設に応じて柔軟な運用が可能となる。
【０１０９】
以下、上記構成による作用について、図１２〜図１５を参照して説明する。Ｘ線検査を行う場合には、放射線技師によってコンソール２４が操作されて１件の検査オーダが選択される。検査オーダが選択されると、ＧＵＩ制御部４１ａによって図９に示す検査オーダ表示画面６１が生成されて、ディスプレイ４８に表示される。
【０１１０】
選択ボタン７１〜７５には、ボタン登録情報７８や識別標識情報７９で定義された、電子カセッテ２１Ａ、２１Ｂに対応する識別標識が表示される。撮影オーダ表示領域６３において１件の撮影オーダが指定されると、ＧＵＩ制御部４１ａによって撮影オーダで指定された術式に対応する選択ボタンが自動選択される。
【０１１１】
選択ボタンの選択情報は、カセッテ制御部４１ｂに入力され、カセッテ制御部４１ｂは、選択された選択ボタンに対応するカセッテＩＤの電子カセッテ２１を特定し、特定された電子カセッテ２１と通信を開始する。カセッテ制御部４１ｂは、選択された電子カセッテ２１に対して撮影準備状態へ移行することを指令する他、撮影条件が入力された場合には、入力された撮影条件を選択された電子カセッテ２１に送信する。
【０１１２】
図１２に示すように、立位撮影用の選択ボタン７１が自動選択された場合には、選択ボタン７１の２色表示が反転し、選択された状態であることが表示される。放射線技師は、指定した撮影オーダの表示欄６３ａにおいて、術式として立位撮影が指定されていることを確認し、それに対応する立位撮影用の選択ボタン７１が選択された状態であることを確認する。
【０１１３】
そして、被検者Ｈを立位撮影台３１に誘導し、電子カセッテ２１Ａが取り付けられた立位撮影台３１を操作して、被検者Ｈの撮影部位に対して電子カセッテ２１Ａをポジショニングする。ここで、電子カセッテ２１Ａに付されたラベル３３Ａを見て、識別標識の色がピンク色であり、カセッテ名が「Ａ」であることを確認する。
【０１１４】
放射線技師はコンソール２４の場所に戻って、選択ボタン７１の識別標識を見て、選択ボタン７１の識別標識と電子カセッテ２１Ａの識別標識とが一致していることを確認する。このように電子カセッテ２１に付したラベル３３と選択ボタンの識別標識を見比べることにより、コンソール２４で選択した電子カセッテ２１と被検者Ｈに対してポジショニングした電子カセッテ２１とが一致しているか否かの確認作業が行われる。
【０１１５】
このため、外観形状を模式的に表した装置アイコンをコンソールに表示する従来の特許文献１と異なり、本発明は、電子カセッテ２１Ａ、２１Ｂのように外観形状が同じ場合でも、上記確認作業を簡単確実に行うことができる。電子カセッテ２１Ａ、２１Ｂのように、フイルムカセッテやＩＰカセッテと同じサイズのカセッテの場合には、型番が違っても外観が酷似するため、本発明は特に有効である。また、電子カセッテ２１Ａ、２１Ｂのように、ワイヤレスタイプの場合には、ケーブルを辿ってコンソール２４との接続状態を確認することもできないため、本発明は特に有効である。
【０１１６】
しかも、識別標識には、文字で表記されるカセッテ名の他に色が含まれているので、文字だけの場合と比べて直感的に分かりやすい。これにより、複数台の電子カセッテ２１の取り違えやコンソール２４上の選択ミスによる撮影ミスが防止される。
【０１１７】
また、電子カセッテ２１は、従来のフイルムカセッテやＩＰカセッテと異なりコンソール２４に対して無線や有線により画像を送信する画像送信機能を備えているため、次に示すようにフイルムカセッテやＩＰカセッテと異なる運用がなされる。
【０１１８】
フイルムカセッテやＩＰカセッテを撮影に使用する場合には、検査（撮影）に先立って、１回の検査で必要な数だけフイルムカセッテやＩＰカセッテを保管庫から撮影室に技師が運び入れ、検査が終了すると撮影室から持ち出される。フイルムカセッテの場合には現像処理が、ＩＰカセッテの場合にも読み取り装置による画像読み取り処理がそれぞれ必要になるからである。このようにフイルムカセッテやＩＰカセッテの場合には、検査するタイミングで技師がカセッテを撮影室に運び入れて、検査終了後には撮影室から持ち出されるため、検査でどのカセッテを使用するかはカセッテを撮影室に運び入れる時点で決まり、カセッテの取り違いがおきようがなかった。
【０１１９】
これに対して、電子カセッテの場合は、画像送信機能を備えているため、フイルムカセッテやＩＰカセッテのように、検査の度に技師によって撮影室に運び入れられて、検査後に撮影室から持ち出されることはなく、撮影室内に置かれたまま、複数の検査で繰り返し使用されることになる。そして、上述の通り、撮影室内において、電子カセッテは、撮影台に装着したまま複数の検査に使用されたり、撮影台から取り外されたり、再び撮影台へ取り付けたりという使い方がされる。それ故に、電子カセッテの取り違いが生じる危険性が生じる。つまり、カセッテの取り違えという問題は、フイルムカセッテやＩＰカセッテでは生じにくく、画像通信機能を備えたことにより、撮影室への運び込みや持ち出しが不要となった電子カセッテに特有な問題と言える。
【０１２０】
上述のとおり、複数台の電子カセッテ２１は、コンソール２４などのコンピュータシステム上ではカセッテＩＤによって識別可能ではあるが、外観は同一あるいはほぼ同様であるため、撮影台に現在装着されている電子カセッテ２１がどのカセッテＩＤのものであるかについて、技師が分からなくなってしまうという事態は容易に起こりうる。コンソール２４で選択された電子カセッテ２１のカセッテＩＤと、技師が被検者Ｈにポジショニングした電子カセッテ２１のカセッテＩＤが一致しない状態で、Ｘ線が照射されて撮影が行われると、Ｘ線画像が取得できないという撮影ミスが生じる。撮影ミスは、被検者Ｈに対しては無駄な被曝を与えてしまう結果となる。
【０１２１】
本発明は、画像通信機能を備えたことによる利便性を得た電子カセッテに新たに発生する上述した問題を解決するために非常に有効である。
【０１２２】
また、上記例のように電子カセッテ２１Ａ、２１Ｂが２台しか無い場合には、被検者Ｈに対してポジショニングされていない電子カセッテ２１のラベル３３の識別標識を確認することで、上記確認作業を行うこともできる。例えば電子カセッテ２１Ａが取り付けられた立位撮影台３１よりも、電子カセッテ２１Ｂが取り付けられた臥位撮影台３２がコンソール２４の近くにあり、コンソール２４においては、立位撮影用の選択ボタン７１が選択され、被検者Ｈは立位撮影台３１に取り付けられた電子カセッテ２１Ａにポジショニングされているとする。
【０１２３】
この場合、放射線技師は、コンソール２４に表示される立位撮影用の選択ボタン７１の識別標識と、近くにある臥位撮影台３２内の電子カセッテ２１Ｂのラベル３３Ｂの識別標識とが一致していないことを確認すれば、コンソール２４で選択されている電子カセッテ２１Ａと被検者Ｈがポジショニングされている電子カセッテ２１Ａが一致していることを確認することができる。電子カセッテ２１Ｂが臥位撮影台３２から取り外された状態で、コンソール２４の近くにある場合も同様である。
【０１２４】
ラベル３３は電子カセッテ２１の入射面、背面、及び側面の複数箇所に貼付されているので、各撮影台３１、３２に取り付けられた状態でも、撮影台３１、３２から取り外された状態でも、ラベル３３の識別標識を確認しやすい。
【０１２５】
また、選択ボタン７１〜７４には、電子カセッテ２１の使用態様も表示されるので、図１２に示す立位撮影と臥位撮影と、図１３に示すように撮影台を使用しないフリー撮影の区別も簡単確実に行うことができる。図１３に示すように、電子カセッテ２１Ｂをフリー撮影で使用する場合には、電子カセッテ２１Ｂのラベル３３Ｂの識別標識（青色でカセッテ名が「Ｂ」）を確認し、フリー撮影用の選択ボタン７３の識別標識が一致しているかを確認する。
【０１２６】
また、撮影オーダで指定された術式で撮影できない場合もある。例えば撮影オーダにおいては術式として立位撮影が指定されているが、図１４に示すように、立位姿勢を保つことが困難な被検者Ｈがストレッチャー８６で撮影室に運ばれてきたような場合である。このような場合には、技師の判断により、例えば臥位撮影台３２から電子カセッテ２１Ｂが取り外され、電子カセッテ２１Ｂがストレッチャー８６と被検者Ｈの間に挿入されて撮影が行われる。
【０１２７】
この場合、図１５（Ａ）に示すように、撮影オーダにおいて術式として立位撮影が指定されているので、コンソール２４においては自動選択機能により立位撮影用の選択ボタン７１が自動選択される。電子カセッテ２１Ｂは臥位撮影台３２から取り外されるので、使用態様はフリー撮影となる。放射線技師は、電子カセッテ２１Ｂのラベル３３Ｂの識別標識（青色でカセッテ名「Ａ」）を確認し、フリー撮影用の選択ボタン７３、７４のうち、青色でカセッテ名「Ａ」が表示されている選択ボタン７４を選択する。
【０１２８】
選択ボタン７１〜７４には、選択されているか否かに関わらず識別標識が常時表示されているので、本例のように被検者Ｈに対してポジショニングした電子カセッテ２１のラベル３３の識別標識を確認してから、選択ボタン７１〜７４の中から選択すべきボタンを探すことができる。
【０１２９】
選択ボタン７４が選択されると、図１５（Ｂ）に示すように、選択ボタン７４が選択された状態になる。放射線技師は、選択ボタン７４の識別標識とラベル３３Ｂの識別標識とが一致していることを再確認して撮影を行う。選択ボタン７４が選択されたことにより術式が変更された旨の情報は、ＧＵＩ制御部４１ａによって撮影オーダの履歴情報として記録される。
【０１３０】
選択ボタン７１〜７４には、識別標識とともに使用態様が表示されているので、電子カセッテ２１やその使用態様に変更が生じる場合でも、選択ミスが生じにくい。本発明は、多様な使われ方がされる電子カセッテ２１に好適である。
【０１３１】
また、ボタン登録情報７８の変更機能は、図１６に示すように複数の撮影室において複数台の電子カセッテ２１Ａ〜２１Ｄを使い回すような場合に特に有効である。第１〜第３の３つの撮影室は隣接して配置されており、各撮影室には、被検者Ｈが入室する表の入口と、放射線技師が出入りする裏の入口が設けられており、裏の入口を出ると、放射線技師が各撮影室を行き来するための通路になっている。
【０１３２】
通路上には電子カセッテ２１Ａ〜２１Ｄを収容するラック８８が配置されている。電子カセッテ２１Ａ〜２１Ｄにはそれぞれ異なる識別標識が記録されたラベル３３が貼付されている。各撮影室には、コンソール２４、Ｘ線源１３、立位撮影台３１、臥位撮影台３２が配備されており、電子カセッテ２１Ａ〜２１Ｄは、必要に応じて各撮影室に持ち出されて使用される。
【０１３３】
このような場合、コンソール２４に、ボタン登録情報７８の変更機能があれば、持ち出して使用する電子カセッテ２１Ａ〜２１Ｄのラベル３３の識別標識に応じて、ボタン登録情報７８を変更することができる。例えば日によって持ち出す電子カセッテ２１が違う場合には、その都度ボタン登録情報７８を変更して、持ち出した電子カセッテ２１の識別標識に、コンソール２４の選択ボタン７１〜７４の識別標識を対応させるというように柔軟な運用が可能となる。
【０１３４】
電子カセッテ２１は高価であるため、撮影室や撮影台３１、３２と同じ台数だけ用意するのは医療施設にとって経済的な負担が大きい。撮影室や撮影台３１、３２の数に対して電子カセッテ２１の台数が少ない場合でも、ボタン登録情報７８の変更機能により、図１６に示す運用方法が取れるので、医療施設に与える経済的なメリットが大きい。
【０１３５】
上記実施形態のコンソール２４の機能や操作画面の形態は１例であり種々の変更が可能である。例えば、コンソール２４の機能としては、撮影オーダに応じた自動選択機能やボタン登録情報７８の変更機能は無くてもよい。もちろん、それぞれの機能には上述した効果があるので設けられていることが好ましい。
【０１３６】
また、選択ボタンの数や使用態様の割り当て方法は適宜変更することができる。例えば、立位撮影用や臥位撮影用の各選択ボタン７１、７２を、フリー撮影用の選択ボタン７３、７４と同様に、電子カセッテ２１Ａ、２１Ｂの台数に応じてそれぞれ２つ設けてもよい。また、使用態様の割り当てをせずに、各選択ボタンにカセッテＩＤのみを割り当ててもよい。カセッテＩＤのみを割り当てる場合は、各選択ボタンはカセッテＩＤの数（電子カセッテ２１の台数分）だけあれば足りる。
【０１３７】
また、上記実施形態では、識別標識に色が含まれる例で説明したが、図１７に示すラベル９１Ａ、９１Ｂのように色の代わりに模様を用いてもよい。また、上記実施形態では、色の他に、カセッテ名を表す文字を例に説明したが、文字には記号や数字も含まれる。ラベル９１Ａ、９１Ｂは、文字として、菱形、星形などの記号を記録した例である。選択ボタン７１〜７４には、こうした識別標識と同じ識別標識が表示される。
【０１３８】
また、識別標識として、色と文字、模様と文字というように複数種類の識別標識を組み合わせた例を説明したが、識別標識は、色、文字、模様のうち少なくとも１種類が使用されていればよい。ただし、識別標識としては色が含まれていることが最も好ましい。色は、文字や模様と比べて、最も直感的に認識しやすい識別標識だからである。
【０１３９】
上記実施形態では、選択ボタン７１〜７４に識別標識を常時表示し、識別標識の色を反転表示する方法で識別標識の表示形態を変化させることにより、選択ボタン７１〜７４が選択されているか否かを表示する例で説明したが、識別標識の位置、形状、大きさなどを変化させる方法により識別標識の表示形態を変化させて、選択ボタン７１〜７４が選択されているか否かを表示してもよい。
【０１４０】
また、識別標識は常時表示されていなくてもよく、選択ボタン７１〜７４のうち１つが選択されたときに、選択された１つのボタンに識別標識が表示されればよい。もちろん、常時表示させると上述のメリットがあるので、常時表示させることが好ましい。なお、識別標識を常時表示しない場合には、操作画面内において、識別標識を表示する領域は選択ボタンでなくてもよい。例えば、選択ボタンとは別の場所に、複数色の識別標識を表示可能な領域を設け、いずれかの選択ボタンが選択されたときに、そのボタンに割り当てられた色の識別標識を表示する。
【０１４１】
また、カセッテＩＤと識別標識の対応関係を表す識別標識情報７９は、コンソール２４のストレージデバイス４３に格納されていなくてもよく、図１８に示すように、コンソール２４とネットワーク５１を介して通信可能に接続されるサーバ５２などの外部ストレージデバイス（外部格納手段）に格納してもよい。コンソール２４は、操作画面を表示する際に、ネットワーク５１を介してサーバ５２にアクセスして、識別標識情報７９を取得する。こうすれば、識別標識情報７９を１箇所で管理することが可能となり、識別標識情報７９に更新があった場合に各コンソール２４に反映しやすい。
【０１４２】
また、識別標識情報７９をサーバ５２に格納する場合には、複数のコンソール２４や複数の撮影室で使用されるすべての電子カセッテ２１のカセッテＩＤと識別標識の対応関係を識別標識情報７９に記録しておいてもよい。この場合には、各コンソール２４は識別標識情報７９の中から必要な分だけ識別標識情報を読み出す。また、ボタン登録情報７８をサーバ５２に格納してもよい。ボタン登録情報７８と識別標識情報７９は、一方がストレージデバイス４３で他方がサーバ５２というように格納場所が異なっていてもよい。
【０１４３】
また、図１９に示すように、識別標識情報７９を、各電子カセッテ２１のメモリ２８に記憶させてもよい。コンソール２４は、各電子カセッテ２１のメモリ２８にアクセスして、識別標識情報７９を取得する。この場合、各電子カセッテ２１のメモリ２８に記憶される識別標識情報７９には、各電子カセッテ２１の１つのカセッテＩＤと、そのカセッテＩＤに対応する識別標識の少なくとも１組の情報が含まれていればよい。
【０１４４】
また、上記実施形態では、撮影制御装置２３が、電子カセッテ２１及びコンソール２４から独立した装置の例で説明したが、撮影制御装置２３は独立した装置である必要はなく、電子カセッテ２１あるいはコンソール２４に撮影制御装置２３の機能を備えてもよい。
【０１４５】
また、本発明は、Ｘ線に限らず、γ線等の他の放射線を使用する電子カセッテのバッテリの充電器にも適用することができる。本発明は、上記実施形態に限らず、本発明の要旨を逸脱しない限り種々の構成を採り得ることはもちろんである。
【符号の説明】
【０１４６】
１２  Ｘ線撮影装置
１３  Ｘ線源
２１  電子カセッテ
２６  ＦＰＤ
２７  筐体
２８  メモリ
２９  通信部
３３、９１  ラベル
３４  貼付領域
４１  ＣＰＵ
４１ａ  ＧＵＩ制御部（制御手段、変更操作受付手段）
４１ｂ  カセッテ制御部
４１ｄ  ネットワーク通信部
４３  ストレージデバイス
４８  ディスプレイ
４９  入力デバイス
４９ａ  ポインタ
６１  検査オーダ表示画面
６３  撮影オーダ表示領域
７１〜７５  選択ボタン
７８  ボタン登録情報（第２対応情報）
７９  識別標識情報（第１対応情報）
【図１】
0006010658.tif 000002
【図２】
0006010658.tif 000003
【図３】
0006010658.tif 000004
【図４】
0006010658.tif 000005
【図５】
0006010658.tif 000006
【図６】
0006010658.tif 000007
【図７】
0006010658.tif 000008
【図８】
0006010658.tif 000009
【図９】
0006010658.tif 000010
【図１０】
0006010658.tif 000011
【図１１】
0006010658.tif 000012
【図１２】
0006010658.tif 000013
【図１３】
0006010658.tif 000014
【図１４】
0006010658.tif 000015
【図１５】
0006010658.tif 000016
【図１６】
0006010658.tif 000017
【図１７】
0006010658.tif 000018
【図１８】
0006010658.tif 000019
【図１９】
0006010658.tif 000020